(57)【特許請求の範囲】
【請求項１】
浴槽外の給湯機に配管接続させる槽外取付部材に、槽内取付部材の筒状部を浴槽側壁の貫通穴に通して螺合連結するようにした浴槽用給湯口アダプタであって、
浴槽側壁の外面と槽外取付部材の環状端面との間に、リング状パッキングが介在し、
このリング状パッキングの両側対接面の少なくとも一方に、複数条のリング状リブと、これらリング状リブ間の環状溝の周方向複数ヶ所に位置した凸部とを有し、
槽内取付部材の回転操作による螺合部分の締め付けにより、前記リング状パッキングが浴槽側壁と槽外取付部材との間で圧縮され、そのリング状リブと共に前記凸部が相手側対接面に密着するように構成されてなり、
前記凸部が前記リング状リブと共に前記相手側対接面に密着することにより、前記槽外取付部材が浴槽側に固定化されて共回りを防止する浴槽用給湯口アダプタ。
【請求項２】
前記リング状パッキングのリング状リブ及び凸部が、槽外取付部材側の対接面に形成されてなる請求項１記載の浴槽用給湯口アダプタ。
【請求項３】
前記リング状パッキングの前記凸部の高さがリング状リブよりも低く設定されてなる請求項１又は２に記載の浴槽用給湯口アダプタ。
【請求項４】
前記リング状パッキングのリング状リブが３条以上であり、その内側から１番目と２番目のリング状リブ間の環状溝には前記凸部を有しない請求項１〜３のいずれかに記載の浴槽用給湯口アダプタ。
【請求項５】
前記リング状パッキングの浴槽側の対接面に３条以上のリング状リブを有し、その外側から１番目のリング状リブが他のリング状リブよりも高く形成されると共に、この外側から１番目と２番目のリング状リブ間の環状溝には前記凸部を有しない請求項１〜３のいずれかに記載の浴槽用給湯口アダプタ。
【請求項６】
前記リング状パッキングの凸部が周方向３ヵ所以上に等配した半径方向リブからなる請求項１〜５のいずれかに記載の浴槽用給湯口アダプタ。
【請求項７】
槽外取付部材の前端に外側へ張出するフランジ部を有し、前記リング状パッキングが該フランジ部の外周側を包み込む構造を備えた被せパッキングからなる請求項１〜６のいずれかに記載の浴槽用給湯口アダプタ。
【発明の詳細な説明】
【技術分野】
【０００１】
この発明は、浴槽壁部に貫通状態に取り付けられ、浴槽外の給湯機に配管接続させる浴槽用給湯口アダプタに関する。
【背景技術】
【０００２】
一般的に、この種の給湯口アダプタは、浴槽側壁の貫通穴に浴槽内側から挿通させた槽内取付部材の雄ねじ付き筒状部と、浴槽外の給湯機に配管接続させる槽外取付部材の雌ねじ付き筒状部とを螺合することにより、槽内取付部材の基端側のフランジ部と、槽外取付部材の先端側のフランジ部との間で浴槽側壁を内外両側から挟着して当該浴槽側壁に貫通状態に取り付けられ、その槽内取付部材には浴槽内側から流路形成部材を嵌装し、更に浴槽内開口部にフィルタ部材を装着するようになっている。そして、槽内外の両取付部材のフランジ部と浴槽側壁との間には、水密封止のためにリング状パッキングが介装される（特許文献１〜５）。
【特許文献１】特開２００２−３３６１５０号公報
【特許文献２】特開２００３−７０６６４号公報
【特許文献３】特開２００３−１０２６３３号公報
【特許文献４】特開２００５−５８４２９号公報
【０００３】
しかるに、これら従来の給湯口アダプタにあっては、前記螺合のために槽内取付部材側を回転操作する際、その終盤での強い捻回力によって槽外取付部材が共回りし易く、これによって槽外取付部材から給湯機に接続する配管部が捻じれて破断、亀裂、変形等を生じることがあった。
【発明の開示】
【発明が解決しようとする課題】
【０００４】
この発明は、上述の事情に鑑みてなされたものであり、浴槽用給湯口アダプタにおいて、構成部材の簡単な改良により、槽内取付部材の回転操作による浴槽側壁への取り付けの際の槽外取付部材の共回りを防止し、もってコスト増を殆ど伴うことなく、槽外取付部材から給湯機に接続する配管部の捻じれによる破断、亀裂、変形等を回避できるものを提供することを課題とする。
【課題を解決するための手段】
【０００５】
上記課題は、以下の手段によって解決される。
【０００６】
〔１〕浴槽外の給湯機に配管接続させる槽外取付部材に、槽内取付部材の筒状部を浴槽側壁の貫通穴に通して螺合連結するようにした浴槽用給湯口アダプタであって、
浴槽側壁の外面と槽外取付部材の環状端面との間に、リング状パッキングが介在し、
このリング状パッキングの両側対接面の少なくとも一方に、複数条のリング状リブと、これらリング状リブ間の環状溝の周方向複数ヶ所に位置した凸部とを有し、
槽内取付部材の回転操作による螺合部分の締め付けにより、前記リング状パッキングが浴槽側壁と槽外取付部材との間で圧縮され、そのリング状リブと共に前記凸部が相手側対接面に密着するように構成されてなる浴槽用給湯口アダプタ。
【０００７】
〔２〕前記リング状パッキングのリング状リブ及び凸部が、槽外取付部材側の対接面に形成されてなる前項〔１〕記載の浴槽用給湯口アダプタ。
【０００８】
〔３〕前記リング状パッキングの前記凸部の高さがリング状リブよりも低く設定されてなる前項〔１〕又は〔２〕に記載の浴槽用給湯口アダプタ。
【０００９】
〔４〕前記リング状パッキングのリング状リブが３条以上であり、その内側から１番目と２番目のリング状リブ間の環状溝には前記凸部を有しない前項〔１〕〜〔３〕のいずれかに記載の浴槽用給湯口アダプタ。
【００１０】
〔５〕前記リング状パッキングの浴槽側の対接面に３条以上のリング状リブを有し、その外側から１番目のリング状リブが他のリング状リブよりも高く形成されると共に、この外側から１番目と２番目のリング状リブ間の環状溝には前記凸部を有しない前項〔１〕〜〔４〕のいずれかに記載の浴槽用給湯口アダプタ。
【００１１】
〔６〕前記リング状パッキングの凸部が周方向３ヵ所以上に等配した半径方向リブからなる前項〔１〕〜〔５〕のいずれかに記載の浴槽用給湯口アダプタ。
【００１２】
〔７〕槽外取付部材の前端に外側へ張出するフランジ部を有し、前記リング状パッキングが該フランジ部の外周側を包み込む構造を備えた被せパッキングからなる前項〔１〕〜〔６〕のいずれかに記載の浴槽用給湯口アダプタ。
【発明の効果】
【００１３】
前項〔１〕に記載の発明によれば、槽内取付部材の筒状部を浴槽側壁の貫通穴に通して槽外取付部材に螺合連結する際、槽内取付部材の回転操作による締め付けの終盤において、浴槽側壁の外面と槽外取付部材の環状端面との間に介在するリング状パッキングが圧縮され、このリング状パッキングのリング状リブ間の環状溝にある凸部がリング状リブと共に相手側対接面に密着することにより、当該対接面での相対回転に対して大きな摩擦力を生じ、この摩擦力による摺動抵抗で槽外取付部材が浴槽側に固定化されて共回りを生じず、もって槽外取付部材から給湯機に接続する配管部の捻じれによる破断、亀裂、変形等が回避される。
【００１４】
しかして、この発明の浴槽用給湯口アダプタでは、槽外側のリング状パッキングとして複数条のリング状リブ間の環状溝の周方向複数ヶ所に凸部を設けたものを用いるだけで、他の構成部材は全て既存構成でよい上、リング状パッキングのリング状リブは水密封止性を高めるための一般的な構造であるから、そのリング状リブ間の環状溝に凸部を有するリング状パッキングも成形型の僅かな改変だけで容易に製造でき、前記共回りの防止のためのコスト負担は非常に少なくて済む。
【００１５】
前項〔２〕に記載の発明によれば、前記リング状パッキングのリング状リブ及び凸部が槽外取付部材側の対接面に形成され、概して金属製で平滑な槽外取付部材の端面に対して当該パッキングの摩擦力が大きく働くから、前記共回りの抑止作用が高くなる。
【００１６】
前項〔３〕に記載の発明によれば、前記リング状パッキングの前記凸部の高さがリング状リブよりも低いため、浴槽用給湯口アダプタの取付状態において該凸部よりもリング状リブの圧縮度合が大きくなり、そのシール作用が確実に発揮される。
【００１７】
前項〔４〕に記載の発明によれば、前記リング状パッキングのリング状リブが３条以上で、その内側から１番目と２番目のリング状リブ間の環状溝には前記凸部がないから、内側から１番目のリング状リブが独立した形になってシール作用を確実に発揮する。
【００１８】
前項〔５〕に記載の発明によれば、前記リング状パッキングの浴槽側の対接面にある３条以上のリング状リブの内、外側から１番目のリング状リブが他のリング状リブよりも高く且つ独立した形であるため、該に１番目のリング状リブによる高いシール効果が得られる。
【００１９】
前項〔６〕に記載の発明によれば、前記リング状パッキングの凸部が周方向３ヵ所以上に等配した半径方向リブからなるため、対接面での相対回転に対する摩擦力がより大きく効果的に発現する。
【００２０】
前項〔７〕に記載の発明によれば、前記リング状パッキングは、被せパッキングとして槽外取付部材前端のフランジ部の外周側で保持されるから、槽内取付部材の筒状部外周の雄ねじに接触しない状態で同心状に位置決めでき、もって該雄ねじとの接触による損傷が防止される。
【発明を実施するための最良の形態】
【００２１】
以下、この発明に係る浴槽用給湯口アダプタの実施形態について、図面を参照して具体的に説明する。図１は該給湯口アダプタの浴槽側壁への取付状態、図２は該給湯口アダプタの部品構成、図３は槽外側のリング状パッキング、図４は螺合した槽外取付部材と槽内取付部材の締め付け前の状態、図５は同締め付け後の状態、をそれぞれ示す。
【００２２】
なお、この実施形態の給湯口アダプタは、浴槽外に設置した給湯機（図示省略）からの温水を浴槽内に供給する湯はり機能と、浴槽内の温水を給湯機に吸い込んで加熱した高温水を浴槽内に戻す追い焚き機能とを備えた浴槽給湯システムに適用するものであり、所謂無極タイプとして、給湯機に繋がる往き管と戻り管（図示省略）に対する接続が逆になっても同じ機能が得られるようになっている。
【００２３】
図１及び図２に示すように、この給湯口アダプタは、槽外取付部材１、槽内取付部材２、流路形成部材３、フィルタ部材４の４つの主要部品と、槽外側のリング状パッキング５、Ｏリング６、槽内側のリング状パッキング７、リング状滑りシート８、ロックねじ９の付属部品とで構成されている。なお、図中のＨは浴槽Ｔの側壁Ｔａに設けた貫通穴を示している。
【００２４】
槽外取付部材１は、黄銅やステンレス鋼等の金属製であり、略円筒状をなす外筒部１ａの開放した前端にフランジ部１ｂを備えると共に、該外筒部１ａの閉塞した後端部に一対の外管接続部１１ａ，１１ｂがロウ付けされ、該外筒部１ａの内側には前方へ開放した円筒状の内筒部１ｃが同軸状に一体形成されている。そして、内筒部１ｃの内側空間１０ａが外管接続部１１ａに、外筒部１ａと内筒部１ｃの間の環状空間１０ｂが外管接続部１１ｂに、それぞれ連通している。また、外筒部１ａの前部内周には雌ねじ１２が刻設され、この外筒部１ａの前端よりも内奥に位置した内筒部１ｃの前端の内周側に、前記Ｏリング６を嵌装するための環状溝１３が形成されている。
【００２５】
槽内取付部材２は、ポリアセタート樹脂等の硬質樹脂成形物からなり、両端が開放した筒状部２ａの前端にフランジ部２ｂが一体形成されており、筒状部２ａの外周には槽外取付部材１の雌ねじ１２に対応する雄ねじ２１が設けてある。そして、図４及び図５で示すように、フランジ部２ｂの後面側は、内周部が環状段部２２、中間部が環状溝２３、外周部が環状突縁２４を構成しており、環状溝２３の内周側壁が外周側壁よりも高くなっている。また、図２に示すように、該フランジ部２ｂの前面側には多数の有底のロック穴２５…が周方向一定間隔置きに形成され、更に外周部２４には複数のＬ字形の係止溝２６が周方向一定間隔置きに形成されている。
【００２６】
流路形成部材３は、既述の無極タイプとしての流路を形成するものであり、円盤部３１ａの中央部後面側に流路分岐部３１ｂ及び流路筒部３１ｃを一体形成した硬質合成樹脂成形物からなる本体３１と、該本体３１の円盤部３１ａの前面側に嵌着される硬質合成樹脂成形物からなる円形の蓋板３２と、流路分岐部３１ｂに配置される縦長のゴム板からなる一対の弁体３３，３３とを備えている。そして、本体３１の円盤部３１ａの周縁には前後両側へ突出した周壁部３４が形成され、この周壁部３４の前縁側に内嵌係止した蓋板３２と当該円盤部３１ａとの間で流路分離室３０を構成している。また、この周壁部３４には、外周面の左右両側上部と下端部の３ヵ所にＬ字形の係止溝３４ａを有すると共に、内周面にも周方向に等配した３ヵ所に係止突起（図示省略）が設けてある。
【００２７】
流路分離室３０内は、上部側の吸込み空間３０ａと下部側の吐出空間３０ｂとに区画され、更に図示を省略しているが、吸込み空間３０ａが左右２室に分離し、吐出空間３０ｂも流路分岐部３１ｂに臨む上部が左右に分画されている。しかして、円盤部３１ａの周壁部３４は吐出空間３０ｂに臨む下半部では前方突出部分がなく、これによって当該円盤部３１ａと蓋板３２との下半部間で吐出空間３０ｂから周辺側へスリット状に開放した放出口３５が形成されている。また、蓋板３２は、流路分離室３０の吸込み空間３０ａに臨む上部側に、径小で表裏に透通する多数の吸込孔３２ａ…を有すると共に、上端中央部にねじ孔３２ｂを備えている。
【００２８】
流路分岐部３１ｂは、吸込み空間３０ａ及び吐出空間３０ｂの左右一方側を流路筒部３１ｃ内に、同他方側を外側開放口（図示省略）に、それぞれ弁部３６を介して連通している。そして、各弁部３６では、吸込み空間３０ａと吐出空間３０ｂの上下両方にわたるように配置した弁体３３が、吸込み空間３０ａ側では内側（後方）へ、吐出空間３０ｂ側では外側（前方）へそれぞれ弾性変形して開弁し、逆方向には図１で示すように上下部の弁座３６ａ，３６ｂにそれぞれ平板状で当接して閉弁するように構成している。
【００２９】
フィルタ部材４は、皿形の硬質合成樹脂成形物からなり、その円形の前壁部４ａには径小で表裏に透通する多数の吸込孔４０…が略全面にわたって形成されている。また、前壁部４ａから後方へ突出する周縁部４ｂは、流路形成部材３のスリット状の放出口３５に対応する下半部の突出高さが低く設定されると共に、内周に流路形成部材３の各係止溝３４ａに対応する係止突起（図示省略）が形成されている。
【００３０】
しかして、流路形成部材３は、槽内取付部材２に対し、その筒状部２ａ内に前方から流路分岐部３１ｂ及び流路筒部３１ｃを挿嵌する形で、周壁部３４の後方突出部分をフランジ部２ｂに外嵌し、該周壁部３４内周の各係止突起をフランジ部２ｂ外周の係止溝２６に嵌入した状態で少し捻回操作することにより、抜出不能に係合連結される。また同様に、フィルタ部材４も、流路形成部材３に対し、その流路分離室３０の前面に被せて、周縁部４ｂの内周の各係止突起を周壁部３４外周の係止溝３４ａに嵌入した状態で少し捻回操作することにより、抜出不能に係合連結される。
【００３１】
槽外側のリング状パッキング５は、前部側の厚肉のパッキン本体部５ａと、その外周縁から後方へ延出した断面Ｌ字状のカバー部５ｂとで断面略内向き開放Ｕ字状をなす合成ゴム等からなる成形物であり、内周の環状嵌合溝５ｃに槽外取付部材１のフランジ部１ｂを嵌め込むことにより、被せパッキングとして該フランジ部１ｂを包み込む状態に密着固定できるようになっている。
【００３２】
このリング状パッキング５のパッキン本体部５ａには、図３（Ａ）〜（Ｃ）で詳細に示すように、浴槽側である表側対接面５０ａに５条のリング状リブ５１ａ〜５１ｅが、槽内取付部材側である裏側対接面５０ａに４条のリング状リブ５２ａ〜５２ｄが、それぞれ略等間隔の同心円状に形成されている。そして、表側対接面５０ａの内側から２〜４番目のリング状リブ５１ｂ〜５１ｄの各間の環状溝５３ｂ，５３ｃと、裏側対接面５０ｂの内側から２〜４番目のリング状リブ５２ｂ〜５２ｄの各間の環状溝５４ｂ，５４ｃとに、半径方向に沿うリブ状の凸部５５…、５６…が中心角θ＝７２°で周方向に等配する５ヵ所に形成されている。
【００３３】
これらの各凸部５５，５６は両側のリング状リブ５１ｂ〜５１ｄ，５２ｂ〜５２ｄよりも低く設定されている。しかして、表側対接面５０ａの環状溝５３ａ，５３ｄと裏側対接面５０ｂの環状溝５４ａには凸部がないため、両側対接面５０ａ，５０ｂの内側から１番目のリング状リブ５１ａ，５２ａと、表側対接面５０ａの５番目（外側から１番目）のリング状リブ５１ｅは、他のリング状リブから独立した形になっている。また、表側対接面５０ａの５番目のリング状リブ５１ｅは、同じ対接面５０ａにおける他のリング状リブ５１ａ〜５１ｄよりも高くなっている。
【００３４】
一方、槽内側のリング状パッキング７は、断面が内向きに尖った略スペード形をなす厚肉リング部７０と、この厚肉リング部７０から中心側へ全周にわたって張出する薄肉リング部７１とで構成される合成ゴム等の一体成形物からなる。そして、このリング状パッキング７は、槽内取付部材２の筒状部２ａに嵌装した状態で、薄肉リング部７１の内周端が当該筒状部２ａに略当接すると共に、厚肉リング部７０がフランジ部２ｂの環状溝２３に臨み、且つ厚肉リング部７０の最大肉厚部７０ａが槽内取付部材２のフランジ部２ｂにおける環状溝２３の深さより大きい肉厚を有するように寸法設定されている。
【００３５】
また、リング状滑りシート８は、ポリオレフィンやポリエステル等の表面滑性が高い硬質乃至半硬質の平坦な合成樹脂シートからなり、槽内取付部材２の筒状部２ａに嵌装した状態で、内周縁が当該筒状部２ａに略当接すると共に、外周縁がフランジ部２ｂの環状溝２３上に位置してリング状パッキング７の厚肉リング部７０の最大肉厚部７０ａに被さる大きさに設定されている。
【００３６】
上記構成の給湯口アダプタを浴槽Ｔに取り付けるには、浴槽側壁Ｔａの外側において、槽外取付部材１の外管接続部１１ａ，１１ｂに給湯機に繋がる往き管と戻り管を接続すると共に、この槽外取付部材１のフランジ部１ｂにリング状パッキング５を嵌着する。また、槽内取付部材２の筒状部２ａの基部側にも、リング状パッキング７とリング状滑りシート８を前者がフランジ部２ｂ側に位置するように嵌装する。そして、浴槽側壁Ｔａの内側から、槽内取付部材２の筒状部２ａを貫通穴Ｈに通して槽外取付部材１の外筒部１ａに合わせ、この槽内取付部材２の回転操作によって筒状部２ａの雄ねじ２１を外筒部１ａの雌ねじ１２に螺合させる。
【００３７】
この螺合の進行により、まず図４（Ａ）（Ｂ）で示すように、槽外側では、リング状パッキング５のパッキン本体部５ａが、表側対接面５０ａにおいてリング状リブ５１ａ〜５１ｅの頂部で浴槽側壁Ｔａに接すると共に、裏側対接面５０ｂにおいてリング状リブ５２ａ〜５２ｄの頂部で槽外取付部材１のフランジ部１ｂの端面に当接する。この段階では、表側対接面５０ａの環状溝５３ｂ，５３ｃにある凸部５５…と、裏側対接面５０ｂの環状溝５４ｂ，５４ｃにある凸部５６…は、それぞれ頂部がリング状リブ５１ａ〜５１ｅ，５２ａ〜５２ｄの頂部よりも低いため、浴槽側壁Ｔａ及び槽外取付部材１に対して未接触である。一方、槽内側では、リング状パッキング７とリング状滑りシート８とが、槽内取付部材２のフランジ部２ｂと浴槽側壁Ｔａとの間に挟まれて互いに接触している。
【００３８】
そして、更に両取付部材１，２の螺合を進めると、該リング状パッキング５のパッキン本体部５ａは、浴槽側壁Ｔａと槽外取付部材１のフランジ部１ｂとの間で圧縮されることにより、図５（Ａ）（Ｂ）に示すように、リング状リブ５１ａ〜５１ｅ，５２ａ〜５２ｄの頂部が潰れ、表側対接面５０ａの凸部５５…が浴槽側壁Ｔａに密接すると共に、裏側対接面５０ｂの凸部５６…が槽外取付部材１のフランジ部１ｂの端面に密接する。
【００３９】
また、槽内側においては、リング状パッキング７の厚肉リング部７０が槽内取付部材２のフランジ部２ｂの環状溝２３へ入り込むのに伴い、リング状滑りシート８がフランジ部２ｂの環状段部２２で屈曲し、その外周側８ａの環状溝２３側への曲がり込みによって外径が縮小するため、両取付部材１，２の螺合の終盤ではリング状パッキング７の厚肉リング部７０がフランジ部２ｂの環状溝２３の底面に直接に圧接する。
【００４０】
このような両取付部材１，２の螺合操作においては、槽内取付部材２の回転に伴って固定側である槽外取付部材１に共回りさせようとする力が作用するが、槽内取付部材２を軽く回転できる初期段階では作用力が小さいため、槽外取付部材１の共回りは給湯機に繋がる配管との接続部分の固定強度で無理なく阻止される。そして、螺合の進行と共に槽外取付部材１への作用力が大きくなると、そのフランジ部１ｂと浴槽側壁Ｔａとの間に介在するリング状パッキング５の摩擦力によって共回りが阻止される。
【００４１】
ところが、該パッキング５の両側対接面５０ａ，５０ｂの接触部が相対回転方向に沿うリング状リブ５１ａ〜５１ｅ，５２ａ〜５２ｄであるため、そのままでは螺合の終盤に加わる強い捻回力で接触部に滑りを生じて槽外取付部材１の共回りを阻止できなくなる。しかるに、既述のように螺合の終盤では、リング状リブ５１ａ〜５１ｅ，５２ａ〜５２ｄに加えて、両側対接面５０ａ，５０ｂの凸部５５…，５６…が相手側対接面に密着することにより、当該対接面での相対回転に対して大きな摩擦力を生じ、この摩擦抵抗で槽外取付部材１が浴槽Ｔ側に固定化されて共回りを生じず、槽外取付部材１から給湯機に接続する配管部の捻じれによる破断、亀裂、変形等が回避される。
【００４２】
また、このリング状パッキング５では、両側対接面５０ａ，５０ｂがリング状リブ５１ａ〜５１ｅ，５２ａ〜５２ｄの圧縮による同心多重の環状部で相手側対接面に密着し、しかも凸部５５…，５６…の各形成領域でも両側のより高いリング状リブ５１ｂ〜５１ｄ，５２ｂ〜５２ｄの頂部が潰れて相手側に強く圧接し、凸部５５…，５６…の存在による密着性の低下がなく、更に両側対接面５０ａ，５０ｂ共に内側から１番目の環状溝５３ａｐ５４ａに凸部がなく、もって内側から１番目のリング状リブ５１ａ，５２ａが独立形態で圧縮性に優れることから、槽外側での高い水密封止性が得られる。
【００４３】
なお、槽内側においては、上記螺合操作の当初から終盤に至るまでの間、回転側の槽内取付部材２のフランジ部２ｂとリング状パッキング７との間に介在するリング状滑りシート８の滑り作用により、槽内取付部材２とリング状パッキング７との共廻りが抑えられるから、該パッキング７が捩れて断裂したり歪な変形状態になることが防止されると共に、槽内取付部材２も軽く容易に回転操作できる。また、最終的には該パッキング７の厚肉リング部７０がフランジ部２ｂと浴槽側壁Ｔａの両方に直接に圧接して密着した状態になるから、浴槽側壁Ｔａの貫通穴Ｈに対する槽内取付部材２の筒状部２ａの挿通部分が槽内側で確実に水密封止される。
【００４４】
かくして、両取付部材１，２のフランジ部１ｂ，２ｂ間で浴槽側壁Ｔａを内外から挟着したのち、浴槽Ｔの内側より槽内取付部材２に流路形成部材３及びフィルタ部材４を図１の如く取り付けることにより、給湯口アダプタの取り付けが完了する。
【００４５】
流路形成部材３は、放出口３５が下側になる状態で、流路筒部３１ｃ側から槽内取付部材２内に嵌入させ、該流路筒部３１ｃを槽内取付部材２内に突入している槽外取付部材１の内筒部１ｃに挿嵌させる。なお、内筒部１ｃの内周の環状溝１３には予めＯリング６を嵌装しておき、挿嵌した流路筒部３１ｃとの間を封止する。そして、周壁部３４の後方突出部分を槽内取付部材２のフランジ部２ｂに外嵌し、既述のように捻回操作して係合連結した上で、蓋板３２のねじ孔３２ｂにロックねじ９をねじ込む。
【００４６】
これにより、該ロックねじ９の先端が円盤部３１ａを貫通して槽内取付部材２のフランジ部２ｂの前面側に設けたロック穴２５に嵌入し、流路形成部材３が槽内取付部材２に対して捻回不能となるから、該流路形成部材３の槽内取付部材２との係合が意に反して解除されるのを防止できる。なお、槽内取付部材２側の係止溝２６とロック孔２５は周方向に一定間隔置きに多数形成されているから、螺合完了後の槽内取付部材２の回転停止姿勢が変化しても、流路形成部材３は、利用する係止溝２６及びロック穴２５の選択により、放出口３５が下側になる最も好ましい姿勢で連結できる。
【００４７】
しかして、流路分離室３０の吸込み空間３０ａ及び吐出空間３０ｂの左右一方側から流路分岐部３１ｂを経て流路筒部３１ｃに繋がる流路は、槽外取付部材１の内筒部１ｃの内側空間１０ａより外管接続部１１ａへ連通し、同左右他方側から流路分岐部３１ｂを経て外側開放口（図示省略）に繋がる流路は、槽内取付部材２の筒状部２ａと流路筒部３１ｃ及び内筒部１ｃとの間の環状空間１０ｂを通して外管接続部１１ｂに連通する。
【００４８】
フィルタ部材４は、流路形成部材３に対し、既述のように流路分離室３０の前面に被せて捻回操作で係止連結するだけでよい。これは、フィルタ部材４が流路形成部材３とは異なり、汚れによる目詰まりを防止する上で、清掃し易いように簡単に取り外せる方がよいためである。
【００４９】
この発明の浴槽用給湯口アダプタに用いる槽外側のリング状パッキング５は、上記実施形態ではパッキン本体５ａの両側対接面５０ａ，５０ｂにリング状リブ５１ａ〜５１ｅ，５２ａ〜５２ｄ及び凸部５５…，５６…を設けたものとしているが、両側対接面５０ａ，５０ｂの少なくとも一方に、複数条のリング状リブと、これらリング状リブ間の環状溝の周方向複数ヶ所に位置した凸部とを有しておればよい。
【００５０】
ただし、浴槽側壁Ｔａの外面は材質的に凹凸粗面状であることが多いのに対し、槽外取付部材１は概して金属製であり、そのフランジ部１ｂの端面は平滑で低摩擦であるため、リング状パッキング５としては、その平滑な端面に対して共回り防止のための大きな摩擦力を働かせる上で、少なくとも裏側対接面５０ｂに複数条のリング状リブ及び前記凸部５６…を有することが望ましい。また、表側５０ａについては、浴槽側壁Ｔａとの間の水密性を充分に確保する上で、前記凸部５５…を設けない場合でも複数条のリング状リブを備えることが好ましい。
【００５１】
槽外側のリング状パッキング５におけるリング状リブ間の環状溝に設ける凸部５５，５６は、前記実施形態のように頂部高さを両側のリング状リブの頂部よりも低く設定することが好ましい。これは、浴槽用給湯口アダプタの取付状態において、リング状リブの圧縮度合が頂部の高い分だけ該凸部５５，５６よりも大きくなり、そのシール作用が確実に発揮されることによる。
【００５２】
また、槽外側のリング状パッキング５の対接面５０ａ，５０ｂに設けるリング状リブは、３条以上として、前記実施形態のように内側から１番目と２番目のリング状リブ５１ａ，５１ｂ間、５２ａ，５２ｂ間の環状溝５３ａ，５４ａには凸部５５，５６を設けないようにすれば、内側から１番目のリング状リブ５１ａ，５２ａが独立した形になるため、そのシール作用を確実に発揮できる。更に、表側対接面５０ａに３条以上のリング状リブを設ける場合、前記実施形態の如く外側から１番目のリング状リブを他のリング状リブよりも高く且つ独立した形にすることにより、その取付状態での圧縮度合が大きくなるため、概して凹凸粗面状であることが多い浴槽側壁Ｔａとの間の水密封止をより確実にすることができる。
【００５３】
なお、このような槽外側のリング状パッキング５の対接面５０ａ，５０ｂに設ける凸部５５，５６の形状は、前記実施形態で例示した半径方向のリブ状に限らず、小さい円形や四角形等、様々に設定できると共に、周方向複数箇所であればよく、その配置間隔や配置数に特に制限はない。ただし、前記実施形態のような半径方向に沿うリブ状の形状では、回転方向に対する大きな摩擦が得られて好適であり、特に周方向３か所以上に等配して設けることが推奨される。また、両側対接面５０ａ，５０ｂに凸部５５，５６を設ける場合、その形成位置は表裏で一致させてもよいし、異なるようにしてもよい。
【００５４】
更にまた、槽外側のリング状パッキング５としては、全体が浴槽側壁Ｔａと槽外取付部材１のフランジ１ａの端面との間に配置する単なる厚肉リング状でもよいが、実施形態の如き被せパッキングとすれば、槽外取付部材１のフランジ部１ａの外周側で保持されるから、槽内取付部材２の筒状部２ａ外周の雄ねじ２１に接触しない状態で同心状に位置決めできるから、該雄ねじ２１との接触による損傷を防止できるという利点がある。
【００５５】
一方、槽内側の水密封止部については、前記実施形態では断面略スペード形の厚肉リング部７０の内側に薄肉リング部７１を一体形成したリング状パッキング７とリング状滑りシート８とを用いているが、リング状パッキング７として単純な厚肉リング状のものを始めとして種々の断面形状のものを採用できる。また、この発明の給湯口アダプタにおいてはリング状滑りシート８は必須ではなく、例えば実施形態における槽内取付部材２の環状段部２２と環状溝２２のように、両取付部材１，２の螺合に際してリング状パッキング７の過度な圧縮を生じない対面構造とすれば、リング状滑りシート８がなくてもリング状パッキング７の断裂や潰れを防止できる。
【００５６】
上述から明らかなように、この発明の浴槽用湯口アダプタにおいては、槽外側のリング状パッキング５として複数条のリング状リブ間の環状溝の周方向複数ヶ所に凸部を設けたものを用いるだけで、他の構成部材は全て既存構成でよい。しかも、このリング状パッキング５についても、対接面のリング状リブ自体は水密封止性を高めるための一般的な構造であるから、そのリング状リブ間の環状溝に凸部を設けるだけでよく、既存のリング状パッキング用の成形型に僅かな改変を加えるだけで容易に製造できる。従って、この発明による前記共回りの防止のためのコスト負担は非常に少なくて済む。
【００５７】
なお、この発明は、実施形態として例示した無極タイプに限らず、給湯機に繋がる往き管と戻り管との接続流路が規定される浴槽用給湯口アダプタにも適用可能である。その他、流路形成部材３における弁部構造や流路構成、フィルタ部材の形態等、細部構成については実施形態以外に種々設計変更可能である。
【図面の簡単な説明】
【００５８】
【図１】この発明の一実施形態に係る浴槽用給湯口アダプタを組み付け状態で示す縦断側面図である。
【図２】同浴槽用給湯口アダプタの分解斜視図である。
【図３】同浴槽用給湯口アダプタに用いる槽外側のリング状パッキングを示し、（Ａ）図は中心角９０度で四分した領域の正面図、（Ｂ）図は（Ａ）図のＢ−Ｂ線の断面矢視図、（Ｃ）図は（Ａ）図のＣ−Ｃ線の断面矢視図である。
【図４】同浴槽用給湯口アダプタにおける槽外取付部材と槽内取付部材との螺合連結における締め付け初期の状態を示し、（Ａ）図は全体の縦断側面図、（Ｂ）図は（Ａ）図における仮想線円Ｂ内の拡大図である。
【図５】同螺合連結における締め付け後の状態を示し、（Ａ）図は全体の縦断側面図、（Ｂ）図は（Ａ）図における仮想線円Ｂ内の拡大図である。
【符号の説明】
【００５９】
１  槽外取付部材
１ａ  外筒部
１ｂ  フランジ部
１２  雌ねじ
２  槽内取付部材
２ａ  筒状部
２ｂ  フランジ部
２１  雄ねじ
５  リング状パッキング
５ａ  パッキン本体部
５ｂ  カバー部
５０ａ  表側対接面（浴槽側の対接面）
５０ｂ  裏側対接面（槽外取付部材側の対接面）
５１ａ〜５１ｅ  リング状リブ
５２ａ〜５２ｄ  リング状リブ
５３ａ〜５３ｄ  環状溝
５４ａ〜５４ｃ  環状溝
５５，５６  凸部
８ａ    外周側
Ｈ      貫通穴
Ｔ      浴槽
Ｔａ    浴槽側壁
【図１】
0004629595.tif 000002
【図２】
0004629595.tif 000003
【図３】
0004629595.tif 000004
【図４】
0004629595.tif 000005
【図５】
0004629595.tif 000006